(57)【特許請求の範囲】
【請求項１】
弾丸が通過する銃腔の基端側から弾丸を発射させる玩具銃に設けられ上記銃腔の基端側に形成した供給部に弾丸を供給する玩具銃の給弾装置において、
弾丸を一列にして貯留するとともに前端の開口が上記供給部に連通した貯留路と、該貯留路の途中に設けられ弾丸を装填する装填口と、上記貯留路内に移動可能に挿入され該貯留路に装填された弾丸の列の最後尾の弾丸に当接して該弾丸の列を供給部に向けて押し出すためのフォロアと、上記貯留路内に設けられ該貯留路の後端側に圧縮されて上記フォロアを供給部側に付勢する押出コイルスプリングと、上記フォロアに連結され上記押出コイルスプリングの付勢力に抗して該フォロアを上記貯留路の後端側に引っ張ることにより該フォロアを上記装填口の位置よりも後端側に移動させる索体と、該索体を上記貯留路の後端に設けた連通口を通して引っ張る引張機構とを備えたことを特徴とする玩具銃の給弾装置。
【請求項２】
上記貯留路の後端と上記装填口より僅かに下流側の部位との間に摺動可能に挿入され、上記装填口を閉塞する閉塞位置及び該装填口を開放する開放位置の２位置に移動可能な開閉管を設け、該開閉管に上記索体を挿通するとともに上記押出コイルスプリングの圧縮により該押出コイルスプリング及びフォロアを収容可能にし、上記開閉管の一端に上記索体が挿通される挿通孔を有し内側で上記押出コイルスプリングの後端を支持する支持部を設け、上記貯留路の後端と上記開閉管の支持部との間に該開閉管を開放位置から閉塞位置側に付勢する移動コイルスプリングを設け、上記索体を引っ張ることにより、上記押出コイルスプリングを圧縮させ上記押出コイルスプリング及びフォロアを上記開閉管内に収容するとともに、上記移動コイルスプリングの付勢力に抗して該開閉管を閉塞位置から開放位置に移動させるようにしたことを特徴とする請求項１記載の玩具銃の給弾装置。
【請求項３】
上記開閉管内に、該開閉管と同軸に且つ上記支持部に連続して設けられ上記押出コイルスプリングに挿通されて該押出コイルスプリングをガイドするとともに、上記支持部の挿通孔に連通して上記索体が引き通されてガイドされる索体ガイド孔を有したガイド管を設け、該ガイド管の先端を上記押出コイルスプリングの圧縮時に上記フォロアを停止させる停止部として構成したことを特徴とする請求項２記載の玩具銃の給弾装置。
【請求項４】
上記引張機構を、ベース部材と、該ベース部材に回転軸を中心に回転可能に設けられ上記索体を巻き取る巻取リールと、該巻取リールをその巻取時に巻き取り方向のみの回転を許容し巻き戻し方向への回転をロックする一方、ロック解除により巻き戻し方向への回転を許容するラチェット機構とを備えて構成したことを特徴とする請求項１乃至３何れかに記載の玩具銃の給弾装置。
【請求項５】
上記ラチェット機構を、上記巻取リールと一体に上記回転軸を中心に回転する爪歯車と、上記ベース部材に回動可能に設けられ回動により爪歯車に係止して該爪歯車を一方向のみの回転を許容するロック位置及び両方向への回転を許容するロック解除位置の２位置に位置させられる係止爪と、該係止爪をロック位置方向に付勢するロックスプリングと、上記ベース部材に出没可能に設けられ没入時に上記係止爪を上記ロックスプリングの付勢力に抗して押圧して回動させてロック解除位置にし突出時に上記係止爪を上記ロックスプリングの付勢力に従って回動させてロック位置に位置せしめるノブと、該ノブを没入状態に保持するノブ保持部とを備えて構成したことを特徴とする請求項４記載の玩具銃の給弾装置。
【請求項６】
上記ベース部材に回動可能に設けられ上記貯留路の後端に設けた連通口を通して上記巻取リールに至る索体が巻き掛けられてガイドされるガイドローラを備えたことを特徴とする請求項５記載の玩具銃の給弾装置。
【請求項７】
上記爪歯車の一部を指で回転させることができるように上記ベース部材から露出させたことを特徴とする請求項５または６記載の玩具銃の給弾装置。
【請求項８】
上記ノブ保持部を上記ベース部材に対して着脱可能にするとともに、装着時に上記露出した爪歯車の一部を覆う形状にしたことを特徴とする請求項７記載の玩具銃の給弾装置。
【請求項９】
上記ノブ保持部を玩具銃本体に着脱可能に設けられる疑似部品で構成したことを特徴とする請求項８記載の玩具銃の給弾装置。
【請求項１０】
上記貯留路の前端部に上記フォロアが衝止して該フォロアを該開口から上記銃腔の供給部内への突出を規制するストッパを設けたことを特徴とする請求項１乃至９何れかに記載の玩具銃の給弾装置。
【請求項１１】
上記玩具銃は、上記銃腔の供給部に供給された弾丸をトリガガードによりガードされたトリガの操作により発射させるボルトアクション式の発射機構を備えて構成され、
上記貯留路の後端を上記トリガガードの前側近傍に位置させるとともに、該貯留路を、該貯留路の後端を含み上記銃腔の軸線に沿って設けられる長手部と、該貯留路の前端を含み上記長手部から立ち上がる起立部とを備えて構成し、上記引張機構を上記トリガガードの前側近傍に設けたことを特徴とする請求項１乃至１０何れかに記載の玩具銃の給弾装置。
【請求項１２】
上記請求項１乃至１１何れかに記載の給弾装置を備えたことを特徴とする玩具銃。
【発明の詳細な説明】
【技術分野】
【０００１】
本発明は、ライフル型，自動小銃型，機関銃型等の玩具銃に設けられ、弾丸を供給する玩具銃の給弾装置及びこれを用いた玩具銃に関する。
【背景技術】
【０００２】
従来、この種の玩具銃として、例えば、特許文献１（特開２００３−７５０９６号公報）に記載されたものが知られている。図１２に示すように、この玩具銃Ｇａは、擬似的動作を行うボルトアクション機構１００を備えたライフル型のガス式玩具銃であり、カセット式の給弾装置１０１から銃本体１０２の銃腔１０３の基端部に設けた供給部１０４に弾丸Ｂ（ＢＢ弾）を供給し、トリガ１０５の操作によりガス蓄圧室１０６からガスを供給して供給部１０４にある弾丸Ｂを発射させる。
【０００３】
この給弾装置１０１は、弾丸Ｂを一列にして貯留するとともに前端の開口が供給部１０４に連通した貯留路１０７と、貯留路１０７内に設けられ貯留路１０７の後端側に圧縮されて弾丸Ｂの列を供給部１０４側に付勢する押出コイルスプリング１０８とを備えている。押出コイルスプリング１０８の先端は貯留路１０７に装填された弾丸Ｂの列の最後尾の弾丸Ｂに当接して弾丸Ｂの列を供給部１０４に向けて押し出す。
給弾装置１０１に弾丸Ｂを装填するときは、給弾装置１０１を外し、貯留路１０７の開口から押出コイルスプリング１０８の付勢力に抗して１つずつ押し込んで装填する。
【先行技術文献】
【特許文献】
【０００４】
【特許文献１】特開２００３−７５０９６号公報
【発明の概要】
【発明が解決しようとする課題】
【０００５】
ところで、この従来の玩具銃Ｇａの給弾装置１０１においては、給弾装置１０１に弾丸Ｂを装填するときは、給弾装置１０１を外し、貯留路１０７の開口から押出コイルスプリング１０８の付勢力に抗して１つずつ押し込んで装填するので、押出コイルスプリング１０８の付勢力に抗して押さなければ弾丸Ｂを装着できないことから、それだけ、作業が煩雑になっているという問題があった。
【０００６】
本発明は上記の点に鑑みて為されたもので、押出コイルスプリングの付勢力が生じない状態にして弾丸を装填できるようにし、弾丸の装填作業を容易にして作業性の向上を図った玩具銃の給弾装置及びこれを用いた玩具銃を提供することを目的とする。
【課題を解決するための手段】
【０００７】
このような目的を達成するための本発明の玩具銃の給弾装置は、弾丸が通過する銃腔の基端側から弾丸を発射させる玩具銃に設けられ上記銃腔の基端側に形成した供給部に弾丸を供給する玩具銃の給弾装置において、
弾丸を一列にして貯留するとともに前端の開口が上記供給部に連通した貯留路と、該貯留路の途中に設けられ弾丸を装填する装填口と、上記貯留路内に移動可能に挿入され該貯留路に装填された弾丸の列の最後尾の弾丸に当接して該弾丸の列を供給部に向けて押し出すためのフォロアと、上記貯留路内に設けられ該貯留路の後端側に圧縮されて上記フォロアを供給部側に付勢する押出コイルスプリングと、上記フォロアに連結され上記押出コイルスプリングの付勢力に抗して該フォロアを上記貯留路の後端側に引っ張ることにより該フォロアを上記装填口の位置よりも後端側に移動させる索体と、該索体を上記貯留路の後端に設けた連通口を通して引っ張る引張機構とを備えた構成としている。
【０００８】
これにより、弾丸を装填するときは、先ず、引張機構を作動させて索体を引っ張り、フォロアを押出コイルスプリングの付勢力に抗して貯留路の後端側に移動させ、フォロアを装填口よりも後側に位置させ、装填口を開放する。この状態で、装填口から弾丸を貯留路に装填する。この場合、フォロアは索体により押出コイルスプリングの付勢力に抗して装填口よりも後側に移動させられているので、装填時に押出コイルスプリングの付勢力が生じない状態にして弾丸を装填でき、そのため、弾丸をまとめて装填でき、装填作業が極めて容易になり、作業性の向上が図られる。また、索体でフォロアを引っ張るのでフォロアの移動が安定する。
【０００９】
弾丸を所要量装填したならば、引張機構を作動させて索体を緩める。これにより、押出コイルスプリングの付勢力が有効になり、フォロアが貯留路に装填された弾丸の列の最後尾の弾丸に当接してこの弾丸の列を供給部に向けて押し出す。そして、玩具銃を作動させて供給部に供給された弾丸を順次発射する。弾丸がなくなったならば、再び上記のようにして弾丸を装填する。
【００１０】
そして、必要に応じ、上記貯留路の後端と上記装填口より僅かに下流側の部位との間に摺動可能に挿入され、上記装填口を閉塞する閉塞位置及び該装填口を開放する開放位置の２位置に移動可能な開閉管を設け、該開閉管に上記索体を挿通するとともに上記押出コイルスプリングの圧縮により該押出コイルスプリング及びフォロアを収容可能にし、上記開閉管の一端に上記索体が挿通される挿通孔を有し内側で上記押出コイルスプリングの後端を支持する支持部を設け、上記貯留路の後端と上記開閉管の支持部との間に該開閉管を開放位置から閉塞位置側に付勢する移動コイルスプリングを設け、上記索体を引っ張ることにより、上記押出コイルスプリングを圧縮させ上記押出コイルスプリング及びフォロアを上記開閉管内に収容するとともに、上記移動コイルスプリングの付勢力に抗して該開閉管を閉塞位置から開放位置に移動させるようにした構成としている。
【００１１】
これにより、弾丸を装填するときは、先ず、引張機構を作動させて索体を引っ張り、フォロアを押出コイルスプリングの付勢力に抗して貯留路の後端側に移動させ、フォロアを装填口よりも後側に位置させる。この場合、押出コイルスプリング及びフォロアは開閉管内に収容され、開閉管は移動コイルスプリングの付勢力に抗して閉塞位置から開放位置に移動させられ、装填口を開放する。この状態で、装填口から弾丸を貯留路に装填する。この場合、フォロアは索体により押出コイルスプリングの付勢力に抗して装填口よりも後側に移動させられているので、装填時に押出コイルスプリングの付勢力が生じない状態にして弾丸を装填でき、そのため、弾丸をまとめて装填でき、装填作業が極めて容易になり、作業性の向上が図られる。
【００１２】
弾丸を所要量装填したならば、引張機構を作動させて索体を緩めると、押出コイルスプリングの付勢力が有効になり、フォロアが貯留路に装填された弾丸の列の最後尾の弾丸に当接してこの弾丸の列を供給部に向けて押し出す。また、索体を緩めると、移動コイルスプリングの付勢力も有効になり、この移動スプリングの付勢力により開閉管が開放位置から閉塞位置に位置させられる。この場合、開閉管によって装填口が閉塞されるので、移動する弾丸，フォロアや押出コイルスプリングが装填口から飛び出たり引っ掛かったりする事態が防止され、フォロアや押出コイルスプリングの押し出し機能を円滑に行わせることができる。そして、玩具銃を作動させて供給部に供給された弾丸を順次発射する。弾丸がなくなったならば、再び上記のようにして弾丸を装填する。
【００１３】
また、必要に応じ、上記開閉管内に、該開閉管と同軸に且つ上記支持部に連続して設けられ上記押出コイルスプリングに挿通されて該押出コイルスプリングをガイドするとともに、上記支持部の挿通孔に連通して上記索体が引き通されてガイドされる索体ガイド孔を有したガイド管を設け、該ガイド管の先端を上記押出コイルスプリングの圧縮時に上記フォロアを停止させる停止部として構成している。
これにより、引張機構を作動させて索体を引っ張り、フォロアを押出コイルスプリングの付勢力に抗して貯留路の後端側に移動させる際、押出コイルスプリング及びフォロアは開閉管内に収容されるが、押出コイルスプリングはガイド管にガイドされるので、安定して縮小することができる。また、ガイド管の索体ガイド孔により索体もガイドされるので索体の移動も安定する。更に、押出コイルスプリングが開閉管内に入った所定位置でフォロアがガイド管の先端の停止部に衝止して停止するので、押出コイルスプリングが縮み過ぎて変形してしまう事態が防止される。
【００１４】
また、必要に応じ、上記引張機構を、ベース部材と、該ベース部材に回転軸を中心に回転可能に設けられ上記索体を巻き取る巻取リールと、該巻取リールをその巻取時に巻き取り方向のみの回転を許容し巻き戻し方向への回転をロックする一方、ロック解除により巻き戻し方向への回転を許容するラチェット機構とを備えて構成している。
これにより、引張機構を、ラチェット機構で構成したので、構造を比較的簡易にすることができるとともに、操作性も極めて良いものにすることができる。特に、ロック時に巻取リールに巻き取った索体を確実に保持できるので、弾丸の装填時に押出コイルスプリングの付勢力を確実に無効にすることができ、弾丸の装填作業を容易にすることができる。
【００１５】
更に、必要に応じ、上記ラチェット機構を、上記巻取リールと一体に上記回転軸を中心に回転する爪歯車と、上記ベース部材に回動可能に設けられ回動により爪歯車に係止して該爪歯車の一方向のみの回転を許容するロック位置及び両方向への回転を許容するロック解除位置の２位置に位置させられる係止爪と、該係止爪をロック位置方向に付勢するロックスプリングと、上記ベース部材に出没可能に設けられ没入時に上記係止爪を上記ロックスプリングの付勢力に抗して押圧して回動させてロック解除位置にし突出時に上記係止爪を上記ロックスプリングの付勢力に従って回動させてロック位置に位置せしめるノブと、該ノブを没入状態に保持するノブ保持部とを備えて構成している。
【００１６】
これにより、弾丸を装填するときは、先ず、ノブ保持部の保持を解除し、ノブをロックスプリングの付勢力により突出させる。この場合、係止爪がロック位置に位置させられて、爪歯車に係止し、爪歯車の一方向のみの回転を許容する。次に、爪歯車を回転させると、巻取リールが回転して索体を引っ張るので、フォロアを押出コイルスプリングの付勢力に抗して貯留路の後端側に移動させ、フォロアを装填口よりも後側に位置させることができる。この状態で、装填口から弾丸を貯留路に装填する。
一方、弾丸を所要量装填したならば、ノブを没入させてノブ保持部によりこのノブを没入状態に保持する。この場合、係止爪がロック解除位置に位置させられて、爪歯車の係止が解除され、爪歯車の両方向の回転を許容する。これにより、巻取リールから索体が緩んで繰り出し可能になるので、押出コイルスプリングの付勢力が有効になり、フォロアが貯留路に装填された弾丸の列の最後尾の弾丸に当接してこの弾丸の列を供給部に向けて押し出す。この際、ノブはノブ保持部により保持されているので、弾丸の押し出しを安定して行わせることができる。
即ち、ノブの操作によりラチェット機構を操作させることができ、それだけ操作性が向上させられる。
【００１７】
更にまた、必要に応じ、上記ベース部材に回動可能に設けられ上記貯留路の後端に設けた連通口を通して上記巻取リールに至る索体が巻き掛けられてガイドされるガイドローラを備えた構成としている。ガイドローラにより索体がガイドされるので、巻取リールに対する巻き取り，巻き戻しが円滑に行われる。
【００１８】
また、必要に応じ、上記爪歯車の一部を指で回転させることができるように上記ベース部材から露出させた構成としている。爪歯車の一部を指で回転させて、操作できるので、操作性を向上させることができる。
更に、必要に応じ、上記ノブ保持部を上記ベース部材に対して着脱可能にするとともに、装着時に上記露出した爪歯車の一部を覆う形状にした構成としている。ノブ保持部により爪歯車を覆うことができるので、爪歯車が露出することがなく、外観品質が向上させられる。
【００１９】
この場合、必要に応じ、上記ノブ保持部を玩具銃本体に着脱可能に設けられる疑似部品で構成したことが有効である。疑似部品として、例えば、実銃のマガジンフロアプレートや弾倉に対応させることができる。そのため、より一層、実銃に近づけて作成することができる。
【００２０】
そしてまた、必要に応じ、上記貯留路の前端部に上記フォロアが衝止して該フォロアを該開口から上記銃腔の供給部内への突出を規制するストッパを設けた構成としている。
一度装填した弾丸は、全弾を使用して残弾がないことが安全上好ましい。全弾を使用する場合は、最後の弾丸（最後尾の弾丸）を供給口に装填するが、その際、最後の弾丸を発射した後、フォロアが押出コイルスプリングに押されて銃腔の供給部に突出すると、発射機構等に少なからず悪影響を及ぼす虞があるが、本願のこの構成によれば、フォロアはストッパに衝止して銃腔の供給部内への突出が規制されるので、悪影響を及ぼす事態が防止される。
【００２１】
また、必要に応じ、上記玩具銃は、上記銃腔の供給部に供給された弾丸をトリガガードによりガードされたトリガの操作により発射させるボルトアクション式の発射機構を備えて構成され、
上記貯留路の後端を上記トリガガードの前側近傍に位置させるとともに、該貯留路を、該貯留路の後端を含み上記銃腔の軸線に沿って設けられる長手部と、該貯留路の前端を含み上記長手部から立ち上がる起立部とを備えて構成し、上記引張機構を上記トリガガードの前側近傍に設けた構成としている。
【００２２】
一般に、ボルトアクション式の発射機構が空気圧縮式のタイプの場合、ガス式のタイプに比較して、空気圧を高めるために、空気を圧縮するピストンが摺動するシリンダの長さを長くとる関係上、銃腔の弾丸の供給部がトリガの位置より銃口側に離間する距離がどうしても長くなり、そのため、従来においては、給弾用の弾倉を供給部のところに設けるなどしなければならず、そのため、実銃とは異なる位置に弾倉が装着され、実銃との関係で不自然で疑似性が損なわれることがあるという問題があったが、本願のこの構成によれば、貯留路を銃腔の軸線に沿って設け、引張機構をトリガガードの前側近傍に設けることで、疑似弾倉等をトリガから大きく離れた部位に位置させなくても良くなり、そのため、より一層、実銃に近づけて作成することができる。
【００２３】
また、上記課題を解決するため、本発明の玩具銃は、上記何れかに記載の給弾装置を備えた構成としている。上記と同様の作用，効果を奏する。
【発明の効果】
【００２４】
本発明によれば、弾丸を装填するときは、引張機構を作動させて索体を引っ張り、フォロアを押出コイルスプリングの付勢力に抗して貯留路の後端側に移動させ、フォロアを装填口よりも後側に位置させ、装填口を開放した状態で弾丸を装填することができる。そのため、フォロアは索体により押出コイルスプリングの付勢力に抗して装填口よりも後側に移動させられているので、装填時に押出コイルスプリングの付勢力が生じない状態にして弾丸を装填でき、その結果、弾丸をまとめて装填でき、装填作業が極めて容易になり、作業性を大幅に向上させることができる。
【図面の簡単な説明】
【００２５】
【図１】本発明の実施の形態に係る玩具銃の給弾装置が適用される玩具銃の一例を示す斜視図である。
【図２】本発明の実施の形態に係る玩具銃及びその給弾装置を給弾時の状態で示す縦断面図である。
【図３】本発明の実施の形態に係る玩具銃及びその給弾装置を弾丸の発射時の状態で示す縦断面図である。
【図４】本発明の実施の形態に係る玩具銃の給弾装置を示す一部断面斜視図である。
【図５】本発明の実施の形態に係る玩具銃の給弾装置を示す横断面図である。
【図６】本発明の実施の形態に係る玩具銃の給弾装置を給弾時の状態で示す拡大断面図である。
【図７】本発明の実施の形態に係る玩具銃の給弾装置を弾丸の発射時の状態で示す拡大断面図である。
【図８】本発明の実施の形態に係る玩具銃の給弾装置において供給部近傍の構造を示す要部断面図である。
【図９】本発明の実施の形態に係る玩具銃の給弾装置において供給部への弾丸の供給状態を示す図であり、（ａ）はボルトを後退させた状態を示す要部断面図、（ｂ）はボルトを前進させた状態を示す要部断面図である。
【図１０】本発明の実施の形態に係る玩具銃の給弾装置において供給部への最後の弾丸の供給状態を示す要部断面図である。
【図１１】本発明の実施の形態に係る玩具銃の給弾装置においてノブ保持部の別の例を示す斜視図である。
【図１２】従来の玩具銃の給弾装置の一例を示す断面図である。
【発明を実施するための形態】
【００２６】
以下、添付図面に基づいて、本発明の実施の形態に係る玩具銃の給弾装置及びこれを用いた玩具銃について詳細に説明する。
図１乃至図３，図９及び図１０に示すように、実施の形態に係る玩具銃Ｇは、銃本体１に周知のボルトアクション式の発射機構１０を備えたライフル型のものであり、銃身部２の銃腔３の基端部内に設けられた供給部４に本発明の実施の形態に係る給弾装置Ｓから球形の弾丸Ｂ（ＢＢ弾）を供給し、トリガガード６によりガードされたトリガ５の操作によりこの弾丸Ｂを発射させる。銃身部２は、外管７と、外管７に挿入され基端部に弾丸Ｂを一時的に保持するゴム製の保持部８を有した内管９とを備えて構成されている。図９及び図１０において、符号４ａは、供給部４に供給された弾丸Ｂが発射機構１０側に移動しないように押さえる逆止弁である。尚、供給部４の上部は弾丸Ｂを保持するために弾丸Ｂの円弧に倣って窪み形成されている。
【００２７】
発射機構１０は、図２及び図３に示すように、銃身部２の銃腔３に連通する摺動管部１２を有したレシーバ１１と、レシーバ１１の摺動管部１２に摺動可能に設けられハンドル１３の操作により前後動させられるボルト１４とを備えている。ボルト１４は、ピストン１５が設けられる空圧シリンダ１６と、シリンダ１６の先端に設けられ前進時に銃腔３の基端部内に挿通されて供給部４に供給された弾丸Ｂを内管９の保持部８に移動させて保持させる管状のボルトヘッド１７とを備えている。ピストン１５は、コイルスプリング１８により進出方向に付勢されており、ボルト１４の後退時にコイルスプリング１８の付勢力に抗してボルト１４と同動して後退し、その基端部がトリガ５に連動する係止機構１９に係止される。また、ピストン１５は、ボルト１４の前進時にトリガ５を引くことにより係止機構１９の係止が解除されて、コイルスプリング１８の付勢力により進出させられてシリンダ１６内の空気を圧縮して保持部の弾丸Ｂを発射させる。
【００２８】
本発明の実施の形態に係る給弾装置Ｓは、図２乃至図１０に示すように、弾丸Ｂを一列にして貯留するとともに前端の開口２０ａが供給部４に連通した貯留路２０を備えている。貯留路２０においては、その後端がトリガガード６の前側近傍に位置させられ、貯留路２０の後端を含み銃腔３の軸線に沿って設けられる長手部２１と、貯留路２０の前端を含み長手部２１から立ち上がる起立部２２とを備えて構成されている。長手部２１と起立部２２との連接部２３は湾曲形成されている。長手部２１の後端側は後述のベース部材３５に形成され、中間部は管体２４で構成され銃本体１に固定されている。また長手部２１の前端部及び起立部２２の基端側は銃本体１に取り付けられたブロック体２５に形成され、起立部２２の先端側（貯留路２０の前端の開口２０ａ側）は銃身部２の外管７に形成されている。
【００２９】
また、本給弾装置Ｓは、貯留路２０の途中に設けられ弾丸Ｂを装填する装填口３０と、貯留路２０内に移動可能に挿入され貯留路２０に装填された弾丸Ｂの列の最後尾の弾丸Ｂに当接して弾丸Ｂの列を供給部４に向けて押し出すためのフォロア３１と、貯留路２０内に設けられ貯留路２０の後端側に圧縮されてフォロア３１を供給部４側に付勢する押出コイルスプリング３２と、フォロア３１に連結され押出コイルスプリング３２の付勢力に抗してフォロア３１を貯留路２０の後端側に引っ張ることによりフォロア３１を装填口３０の位置よりも後端側に移動させる索体３３と、索体３３を貯留路２０の後端に設けた連通口２６を通して引っ張る引張機構３４とを備えて構成されている。
【００３０】
引張機構３４は、トリガガード６の前側近傍に設けられており、装填口３０が設けられた樹脂製のケース状のベース部材３５と、ベース部材３５内に回転軸３６を中心に回転可能に設けられ索体３３を巻き取る巻取リール３７と、巻取リール３７をその巻取時に巻き取り方向のみの回転を許容し巻き戻し方向への回転をロックする一方、ロック解除により巻き戻し方向への回転を許容するラチェット機構４０とを備えて構成されている。
【００３１】
ラチェット機構４０は、ベース部材３５に内蔵され、巻取リール３７と一体に回転軸３６を中心に回転する爪歯車４１と、ベース部材３５に回動可能に設けられ回動により爪歯車４１に係止してこの爪歯車４１を一方向のみの回転を許容するロック位置Ｌａ及び両方向への回転を許容するロック解除位置Ｌｂの２位置に位置させられる係止爪４２と、係止爪４２をロック位置Ｌａ方向に付勢するロックスプリング４３と、ベース部材３５に出没可能に設けられ没入時に係止爪４２をロックスプリング４３の付勢力に抗して押圧して回動させてロック解除位置Ｌｂにし突出時に係止爪４２をロックスプリング４３の付勢力に従って回動させてロック位置Ｌａに位置せしめるノブ４４と、ノブ４４を没入状態に保持するノブ保持部４５とを備えている。４６はベース部材３５の突起に支持されてノブ４４を突出方向に付勢する突出コイルスプリングである。引張機構３４をラチェット機構４０で構成したので、構造を比較的簡易にすることができるとともに、操作性も極めて良いものにすることができる。
【００３２】
また、ベース部材３５は、回動可能に設けられ貯留路２０の後端２０ｂに設けた連通口２６を通して巻取リール３７に至る索体３３が巻き掛けられてガイドされるガイドローラ４７を備えている。ガイドローラ４７により索体３３がガイドされるので、巻取リール３７に対する巻き取り，巻き戻しが円滑に行われる。更に、爪歯車４１の一部は、指で回転させることができるようにベース部材３５から露出させられている。更にまた、ベース部材３５の装填口３０を含む前側は切除されており、銃本体１と共同して凹所４８を構成し、図２及び図６に示すように、玩具銃Ｇを天地逆転させた状態で、弾丸Ｂの装填時に複数の弾丸Ｂを収容可能にしている。
【００３３】
ノブ保持部４５は、図３及び図７に示すように、ベース部材３５に対して着脱可能で、装着時に露出した爪歯車４１の一部を含むベース部材３５の露出した部分を覆う形状に形成されている。また、ノブ保持部４５は、銃本体１に着脱可能に設けられる疑似部品で構成されている。実施の形態では、ノブ保持部４５は、疑似部品として実銃のマガジンフロアプレートに対応させて形成されている。そのため、より一層、実銃に近づけて作成することができる。ノブ保持部４５は、図３に示すように、一端に設けた係止片４５ａが凹所４８の前側に設けた係止孔４５ｂに係止し、他端に設けた係止穴４５ｃをトリガガード６に設けた係止突起４５ｄに係止させることにより、銃本体１に取り付けられる。トリガガード６の係止突起４５ｄは回動可能になっており、コイルバネ４５ｅで係止穴４５ｃへの係止方向に付勢されており、係止突起４５ｄに連続するレバー４９の操作によりコイルバネ４５ｅの付勢力に抗して係止突起４５ｄを移動させて係止を解除し、ノブ保持部４５を外すことを可能にしている。このレバー４９も実銃の模擬部品であり、より一層、実銃に近づけて作成することができる。
【００３４】
そして、本給弾装置Ｓのベース部材３５においては、貯留路２０の後端と装填口３０より僅かに下流側の部位との間に摺動可能に挿入され、装填口３０を閉塞する閉塞位置Ｋａ及び装填口３０を開放する開放位置Ｋｂの２位置に移動可能な開閉管５０が設けられている。この開閉管５０は、索体３３が挿通されるとともに、押出コイルスプリング３２の圧縮により押出コイルスプリング３２及びフォロア３１を収容可能になっており、開閉管５０の一端には、索体３３が挿通される挿通孔５１を有し内側で押出コイルスプリング３２の後端を支持する支持部５２が設けられている。また、貯留路２０の後端２０ｂと開閉管５０の支持部５２との間に、開閉管５０を開放位置Ｋｂから閉塞位置Ｋａ側に付勢する移動コイルスプリング５３が設けられており、索体３３を引っ張ることにより、押出コイルスプリング３２を圧縮させ、押出コイルスプリング３２及びフォロア３１を開閉管５０内に収容するとともに、移動コイルスプリング５３の付勢力に抗して開閉管５０を閉塞位置Ｋａから開放位置Ｋｂに移動させるようにしている。移動コイルスプリング５３は、押出スプリング３２が縮小して開閉管５０内に収納された後から、縮小するようにその付勢力が定められている。
【００３５】
また、開閉管５０内には、開閉管５０と同軸に且つ支持部５２に連続して設けられ押出コイルスプリング３２に挿通されてこの押出コイルスプリング３２をガイドするとともに、支持部５２の挿通孔５１に連通して索体３３が引き通されてガイドされる索体ガイド孔５４を有したガイド管５５が設けられている。ガイド管５５の先端は、押出コイルスプリング３２の圧縮時にフォロア３１を停止させる停止部５６として構成されている。
【００３６】
そしてまた、図８乃至図１０に示すように、貯留路２０の前端部に、フォロア３１が衝止して開口２０ａから銃腔３の供給部４内への突出を規制するストッパ６０が設けられている。フォロア３１は、先端側が半球状で基端側に押出コイルスプリング３２が遊嵌して保持される軸部３１ａを有した形状に形成され、中心線に沿って段付きの貫通孔３１ｂを備えている。索体３３は、紐やワイヤなど適宜の材料で形成され、この貫通孔３１ｂを貫通させられて端部が結束され、結束部３３ａを段部３１ｃに係止することにより、フォロア３１に連係している。
【００３７】
ストッパ６０は、図８に示すように、貯留路２０の供給部４側の開口２０ａの内径を一般部より小径にして、貯留路２０の前端の直前に形成した段差部６１で構成されている。弾丸Ｂの直径をＤ、フォロア３１の最大径をＹ、貯留路２０の一般径をＸ１、貯留路２０の供給部４側の開口の内径をＸ２としたとき、Ｄ＜Ｘ２＜Ｙ＜Ｘ１となる関係にしている。実施の形態では、例えば、Ｄ（＝５．８〜５．９ｍｍ）＜Ｘ２（＝６．１ｍｍ）＜Ｙ（＝６．３ｍｍ）＜Ｘ１（＝７．０ｍｍ）に設定している。
【００３８】
従って、この実施の形態に係る玩具銃Ｇによれば、以下のようにして弾丸Ｂの給弾，発射が行われる。
弾丸Ｂを装填するときは、先ず、図２及び図６に示すように、引張機構３４において、ノブ保持部４５の保持を解除する。この場合は、トリガガード６のレバー４９を操作して、コイルバネ４５ｅの付勢力に抗して係止突起４５ｄを移動させてノブ保持部４５の係止穴４５ｃから係止を解除し、ノブ保持部４５を外す。これにより、ノブ４４は、ロックスプリング４３及び突出コイルスプリング４６の付勢力により突出し、係止爪４２がロック位置Ｌａに位置させられて、爪歯車４１に係止し、爪歯車４１の一方向のみの回転を許容する。次に、指で爪歯車４１を回転させると、巻取リール３７が回転して索体３３を巻取リール３７に巻き取って引っ張るので、フォロア３１を押出コイルスプリング３２の付勢力に抗して貯留路２０の後端側に移動させる。この場合、露出した爪歯車４１の一部を指で回転させて、操作できるので、操作性を向上させることができる。また、索体３３でフォロア３１を引っ張るのでフォロア３１の移動が安定する。
【００３９】
この際、先ず、開閉管５０は、押出コイルスプリング３２よりも付勢力の強い移動コイルスプリング５３に支持されているので、索体３３を巻取リール３７に巻き取って引っ張ると、押出コイルスプリング３２及びフォロア３１が開閉管５０内に収容されていく。この場合、押出コイルスプリング３２はガイド管５５にガイドされるので、安定して縮小することができる。また、ガイド管５５の索体ガイド孔５４により索体３３もガイドされるので索体３３の移動も安定する。更に、押出コイルスプリング３２が開閉管５０内に入った所定位置でフォロア３１がガイド管５５の先端の停止部５６に衝止して停止するので、押出コイルスプリング３２が縮み過ぎて変形してしまう事態が防止される。
フォロア３１がガイド管５５の先端の停止部５６に衝止して停止した後、更に、索体３３を巻取リール３７に巻き取って引っ張ると、図６に示すように、今度は、移動コイルスプリング５３が縮み、開閉管５０は移動コイルスプリング５３の付勢力に抗して閉塞位置Ｋａから開放位置Ｋｂに移動させられ、装填口３０を開放する。即ち、フォロア３１が装填口３０よりも後側に位置させられる。
【００４０】
この状態で、図２に示すように、玩具銃Ｇを逆さにして凹所４８を上向きにし、凹所４８内に弾丸Ｂを複数個入れ、装填口３０から弾丸Ｂを貯留路２０に装填する。この場合、フォロア３１は索体３３により押出コイルスプリング３２の付勢力に抗して装填口３０よりも後側に移動させられているので、装填時に押出コイルスプリング３２の付勢力が生じない状態にして弾丸Ｂを装填でき、そのため、弾丸Ｂをまとめて装填でき、装填作業が極めて容易になり、作業性の向上が図られる。また、引張機構３４をラチェット機構４０で構成したことから、特に、ロック時に巻取リール３７に巻き取った索体３３を確実に保持できるので、弾丸Ｂの装填時に押出コイルスプリング３２の付勢力を確実に無効にすることができ、弾丸Ｂの装填作業を容易にすることができる。
【００４１】
弾丸Ｂを所要量装填したならば、図３及び図７に示すように、ノブ４４を没入させてノブ保持部４５によりこのノブ４４を没入状態に保持する。即ち、ノブ保持部４５を、その係止片４５ａを凹所４８の係止孔４５ｂに係止し、係止穴４５ｃをトリガガード６に設けた係止突起４５ｄに係止させる。この場合、ノブ保持部４５は、ワンタッチで装着できる。
これにより、ノブ４４がロックスプリング４３及び突出コイルスプリング４６の付勢力に抗して係止爪４２を押し、係止爪４２がロック解除位置Ｌｂに位置させられて、爪歯車４１の係止が解除され、爪歯車４１の両方向の回転を許容する。これにより、巻取リール３７から索体３３が緩んで繰り出し可能になる。
【００４２】
そのため、押出コイルスプリング３２の付勢力より移動コイルスプリング５３の付勢力が大きいので、索体３３を緩めると、先ず、移動コイルスプリング５３の付勢力が有効になり、この移動コイルスプリング５３の付勢力により開閉管５０が開放位置Ｋｂから閉塞位置Ｋａに位置させられる。次に、図７に示すように、押出コイルスプリング３２の付勢力が有効になり、フォロア３１が貯留路２０に装填された弾丸Ｂの列の最後尾の弾丸Ｂに当接してこの弾丸Ｂの列を供給部４に向けて押し出す。この際、ノブ４４はノブ保持部４５により保持されているので、弾丸Ｂの押し出しを安定して行わせることができる。
【００４３】
この場合、開閉管５０によって装填口３０が閉塞されるので、移動する弾丸Ｂ，フォロア３１や押出コイルスプリング３２が装填口３０から飛び出たり引っ掛かったりする事態が防止され、フォロア３１や押出コイルスプリング３２の押し出し機能を円滑に行わせることができる。
ノブ保持部４５が装着された状態では、ノブ保持部４５により、爪歯車４１を覆うことができるので、爪歯車４１が露出することがなく、外観品質が向上させられる。
【００４４】
そして、玩具銃Ｇを作動させて供給部４に供給された弾丸Ｂを順次発射する。この場合は、先ず、図３及び図９（ａ）に示すように、ハンドル１３の操作によりボルト１４を後退させる。これにより、ピストン１５は、コイルスプリング１８の付勢力に抗してボルト１４と同動して後退し、その基端部がトリガ５に連動する係止機構１９に係止される。次に、図３及び図９（ｂ）に示すように、ハンドル１３の操作によりボルト１４を前進させる。これにより、ボルトヘッド１７が銃腔３の基端部内に挿通されて供給部４に供給された弾丸Ｂを内管９の保持部８に移動させて保持させる。
この状態で、照準を合わせてトリガ５を引く。これにより、係止機構１９の係止が解除されて、ピストン１５は、コイルスプリング１８の付勢力により進出させられてシリンダ１６内の空気を圧縮して保持部８の弾丸Ｂを発射させる。このようにして、順次、弾丸Ｂを発射させる。
【００４５】
このようにして、貯留路２０の弾丸Ｂが発射により消費されていくが、本実施の形態では、図８に示すように、最後の弾丸Ｂ（最後尾の弾丸Ｂ）まで、発射させることができる。その際、最後の弾丸Ｂを発射した後、フォロア３１が押出コイルスプリング３２に押されて銃腔３の供給部４に突出すると、発射機構１０等に少なからず悪影響を及ぼす虞があるが、本実施の形態では、図８に示すように、フォロア３１はストッパ６０に衝止して銃腔３の供給部４内への突出が規制されるので、悪影響を及ぼす事態が防止される。そのため、一度装填した弾丸Ｂを支障なく全部使用することができるようになる。
【００４６】
また、本玩具銃Ｇにおいては、貯留路２０の後端をトリガガード６の前側近傍に位置させるとともに、貯留路２０を、貯留路２０の後端２０ｂを含み銃腔３の軸線に沿って設けられる長手部２１と、貯留路２０の前端２０ａを含み長手部２１から立ち上がる起立部２２とを備えて構成し、引張機構３４をトリガガード６の前側近傍に設けた構成としているので、以下の作用，効果を奏する。
一般に、ボルトアクション式の発射機構１０が空気圧縮式のタイプの場合、ガス式のタイプに比較して、空気圧を高めるために、空気を圧縮するピストン１５が摺動するシリンダ１６の長さを長くとる関係上、銃腔３の弾丸Ｂの供給部４がトリガ５の位置より銃口側に離間する距離がどうしても長くなり、そのため、従来においては、給弾用の弾倉を供給部４のところに設けるなどしなければならず、そのため、実銃とは異なる位置に弾倉が装着され、実銃との関係で不自然で疑似性が損なわれることがあるという問題があったが、本実施の形態では、貯留路２０を銃腔３の軸線に沿って設け、引張機構３４をトリガガード６の前側近傍に設けることで、疑似弾倉等をトリガ５から大きく離れた部位に位置させなくても良くなり、そのため、より一層、実銃に近づけて作成することができる。
【００４７】
尚、上記実施の形態において、ノブ保持部４５を、疑似部品として実銃のマガジンフロアプレートに対応させて形成したが、必ずしもこれに限定されるものではなく、例えば、図１１に示すように、ノブ保持部４５を、疑似部品として、実銃の弾倉に対応させて形成しても良く、適宜変更して差し支えない。
また、上記の実施の形態においては、本願発明をライフル型の銃に適用したが、必ずしもこれに限定されるものではなく、自動小銃型，機関銃型等の別のタイプの玩具銃Ｇに適用してよいことは勿論である。
【符号の説明】
【００４８】
Ｇ  玩具銃
Ｓ  給弾装置
Ｂ  弾丸
１  銃本体
２  銃身部
３  銃腔
４  供給部
４ａ  逆止弁
５  トリガ
６  トリガガード
８  保持部
１０  発射機構
１１  レシーバ
１２  摺動管部
１３  ハンドル
１４  ボルト
１５  ピストン
１６  シリンダ
１７  ボルトヘッド
１８  コイルスプリング
１９  係止機構
２０  貯留路
２０ａ  開口（前端）
２０ｂ  後端
２１  長手部
２２  起立部
２３  連接部
２６  連通口
３０  装填口
３１  フォロア
３２  押出コイルスプリング
３３  索体
３４  引張機構
３５  ベース部材
３６  回転軸
３７  巻取リール
４０  ラチェット機構
４１  爪歯車
４２  係止爪
Ｌａ  ロック位置
Ｌｂ  ロック解除位置
４３  ロックスプリング
４４  ノブ
４５  ノブ保持部
４５ａ  係止片
４５ｂ  係止孔
４５ｃ  係止穴
４５ｄ  係止突起
４５ｅ  コイルバネ
４６  突出コイルスプリング
４７  ガイドローラ
４８  凹所
４９  レバー
５０  開閉管
Ｋａ  閉塞位置
Ｋｂ  開放位置
５１  挿通孔
５２  支持部
５３  移動コイルスプリング
５４  索体ガイド孔
５５  ガイド管
５６  停止部
６０  ストッパ
６１  段差部
【図１】
0005490068.tif 000002
【図２】
0005490068.tif 000003
【図３】
0005490068.tif 000004
【図４】
0005490068.tif 000005
【図５】
0005490068.tif 000006
【図６】
0005490068.tif 000007
【図７】
0005490068.tif 000008
【図８】
0005490068.tif 000009
【図９】
0005490068.tif 000010
【図１０】
0005490068.tif 000011
【図１１】
0005490068.tif 000012
【図１２】
0005490068.tif 000013